(57)【要約】【課題】  エアゾール容器に取り付ける間欠噴射用釦において、後噴射の発生を無くす。【解決手段】  エアゾール容器２のステム５上に取り付けられる間欠噴射用釦１０Ａが、ハウジング１１、ハウジング１１内に設けられ、ステム５に連通するシリンダ１３、シリンダ１３内に形成された圧力室２４、圧力室２４の内圧に応じて圧力室２４の開閉を繰り返す弁体１６、１７、弁体１６、１７を介して圧力室２４と連通する噴射口２０を有する。この間欠噴射用釦１０Ａには、さらに、圧力室２４とステム５との間の内容物の貯留スペースを、間欠噴射用釦１０Ａをエアゾール容器２側に押圧した状態に対してその押圧を解除したときに増大させる圧力調整装置３０Ａが設けられている。【選択図】  図１
2005169290.tif 000002
【特許請求の範囲】
【請求項１】
エアゾール容器のステム上に取り付けられる間欠噴射用釦であって、ハウジング、ハウジング内に設けられ、ステムに連通するシリンダ、シリンダ内に形成された圧力室、圧力室の内圧に応じて圧力室の開閉を繰り返す弁体、弁体を介して圧力室と連通する噴射口を有し、さらに、圧力室とステムとの間の内容物の貯留スペースを、間欠噴射用釦をエアゾール容器側に押圧した状態に対してその押圧を解除したときに増大させる圧力調整装置が設けられている間欠噴射用釦。
【請求項２】
圧力調整装置が、一端がステムと嵌合し、他端が圧力室とステムとの間の内容物の貯留スペースに面しているピストンと、間欠噴射用釦をエアゾール容器側に押圧した状態に対してその押圧を解除したときに、前記ピストンをステム側に付勢する付勢部材から形成されている請求項１記載の間欠噴射用釦。
【請求項３】
貯留スペース調整部材が、ハウジングの頂部に設けられた押圧釦と、一端が押圧釦と連接し、他端が圧力室とステムとの間の内容物の貯留スペースに面しているピストンと、押圧釦をエアゾール容器側に押圧した状態に対してその押圧を解除したときにピストンをハウジングの頂部側に付勢する付勢部材から形成されている請求項１記載の間欠噴射用釦。
【請求項４】
請求項１〜３のいずれかに記載の間欠噴射用釦がエアゾール容器に取り付けられている間欠噴射容器。
【発明の詳細な説明】
【技術分野】
【０００１】
本発明は、エアゾール容器に取り付けられる間欠噴射用釦に関する。
【背景技術】
【０００２】
エアゾール容器の間欠噴射用釦は、該釦を操作してエアゾール容器のバルブを開口させている間に、エアゾール容器の内容物を噴射口からパルス状に噴射させるものである。
【０００３】
間欠噴射用釦を取り付けたエアゾール容器を、育毛剤や血行促進剤等の噴出装置として使用すると、皮膚や頭皮に剤を行き渡らせると共に、マッサージ効果を得ることができる。
【０００４】
間欠噴射用釦の構造としては種々のものが知られているが、例えば、エアゾール容器のステムに連通するシリンダ、シリンダ内に形成された圧力室、コイルバネ等で付勢され、圧力室の内圧に応じてシリンダ内を移動し、圧力室の開閉を繰り返す弁体、弁体を介して圧力室と連通する噴射口を備えたものがある。この間欠噴射用釦によれば、該釦をエアゾール容器側に押し込むことによりステムを押し下げ、エアゾールバルブを開口し、内容物を圧力室に流入させている間に、圧力室の内圧が所定の圧力より高くなると弁体が開口して内容物を噴射口から噴射させ、その噴射により圧力室の内圧が低くなると弁体が閉じて噴射を中断させ、噴射の中断により圧力室の内圧が高くなると弁体が開いて内容物を再度噴射させる。そしてこの噴射と中断を、釦を押し込んでいる間中繰り返し、内容物をパルス状に噴射させる（特許文献１、特許文献２）。
【０００５】
間欠噴射用釦においては、押し込み操作を解除して内容物の噴射を停止させた後、１ショットの後噴射が生じる場合がある。そこで、押し込み操作を解除したときに、噴射口の前方が遮蔽体で覆われるようにすることが提案されている（特許文献３）。
【特許文献１】特開２０００−３３５６６３号公報
【特許文献２】特開平７−９６２２６号公報
【特許文献３】特開２００２−２８４０号公報
【発明の開示】
【発明が解決しようとする課題】
【０００６】
しかしながら、特許文献３に記載のように、押し込み操作を解除したときに噴射口の前方が遮蔽体で覆われるようにすると、後噴射した内容物が遮蔽体に当たってしたたり落ち、周囲を汚すという問題が生じる。
【０００７】
これに対し、本発明は、エアゾール容器に取り付ける間欠噴射用釦において、後噴射の発生を無くすことを目的とする。
【課題を解決するための手段】
【０００８】
本発明者は、間欠噴射用釦で起きる後噴射は、釦の押し込み操作を解除した後に、弁体がシリンダ内で本来の閉塞位置まで戻らず、不安定な位置で停止することにより生じること、これを解消するためには、間欠噴射用釦の押し込み操作を解除したときに、釦内の内容物の貯留スペースの容積を増大させて圧力室内を減圧状態にし、弁体が初期の安定な閉塞位置まで戻るようにするのが有効であることを見出した。
【０００９】
即ち、本発明は、エアゾール容器のステム上に取り付けられる間欠噴射用釦であって、ハウジング、ハウジング内に設けられ、ステムに連通するシリンダ、シリンダ内に形成された圧力室、圧力室の内圧に応じて圧力室の開閉を繰り返す弁体、弁体を介して圧力室と連通する噴射口を有し、さらに、圧力室とステムとの間の内容物の貯留スペースを、間欠噴射用釦をエアゾール容器側に押圧した状態に対してその押圧を解除したときに増大させる圧力調整装置が設けられている間欠噴射用釦を提供する。
【００１０】
また、本発明は、この間欠噴射用釦がエアゾール容器に取り付けられている間欠噴射容器を提供する。
【発明の効果】
【００１１】
本発明の間欠噴射用釦によれば、圧力室とステムとの間の内容物の貯留スペースを、間欠噴射用釦をエアゾール容器側に押圧した状態に対してその押圧を解除したときに増大させる圧力調整装置が設けられているので、間欠噴射用釦の押し込み操作を解除したときに、圧力室内が減圧状態となる。したがって、弁体は、シリンダ内の不安定な位置で停止することなく、安定に弁を閉じる状態に戻る。よって、本発明の間欠噴射用釦によれば、噴射後の弁体がシリンダ内で不安定な位置で停止することにより生じる後噴射をなくすことができる。
【発明を実施するための最良の形態】
【００１２】
以下、図面を参照しつつ本発明を具体的に説明する。なお、各図中、同一符号は同一又は同等の構成要素を表している。
【００１３】
図１は、本発明の一実施例の間欠噴射用釦１０Ａをエアゾール容器２に取り付けた本発明の間欠噴射容器１の部分断面図であり、釦内がエアゾール容器２の内容物で満たされていない初期状態を表している。図２Ａ〜図２Ｄは、この間欠噴射用釦１０Ａの作用を説明する断面図である。
【００１４】
この間欠噴射容器１において、エアゾール容器２は耐圧容器からなり、その内部には、例えば、育毛剤、血行促進剤等の原液Ａと、噴射剤Ｇとして、炭酸ガス、窒素ガス、亜酸化窒素ガス等の圧縮ガスやＬＰＧ（液化天然ガス）、ＤＭＥ（ジメチルエーテル）等の液化ガスが充填されている。エアゾール容器２は、マウンテンカップ３の中央部にバルブ４を有し、バルブ４からステム５が起立している。また、原液Ａが間欠噴射用釦１０Ａに供給されるように、バルブ４からチューブ６が延び、エアゾール容器２の底部に達している。
【００１５】
間欠噴射用釦１０Ａは、そのハウジング１１の底部でエアゾール容器２のステム５と嵌合し、内部には、有底筒状のシリンダ１３と、該シリンダ１３とステム５を連通させる連通路１４を有する。この連通路１４は、エアゾール容器２から内容物を噴出させる間欠噴射容器１の使用時には、内容物の貯留スペースとなる。
【００１６】
シリンダ１３はその底部に孔１５を有し、内部に筒状の第１の弁１６と、第１の弁１６に貫挿する第２の弁１７が設けられている。第１の弁１６はその外周をシリンダ１３の内周面に気密に摺接する。第２の弁１７は、第１の弁１６のシリンダ１３底部側開口端を密封することのできる内側部分１８と、内側部分１８に被さる外側部分１９からなり、外側部分１９の一端は噴出口２０を形成している。
【００１７】
ハウジング１１の噴出口２０側の面にはキャップ２１が嵌められ、その内側に第１の弁１６をシリンダ１３の底部側に付勢するコイルバネ状の第１の付勢部材２２と第２の弁１７をシリンダ１３の底部側に付勢するコイルバネ状の第２の付勢部材２３とが設けられている。そして間欠噴射用釦１０Ａの初期状態において、付勢部材２２により、第１の弁１６はその一端がシリンダ１３の底部に突き当てられ、また、第２の付勢部材２３により、第２の弁１７は内側部分１８の一端がシリンダ１３の底部に突き当てられ、この状態において、内側部分１８の端部外周部１８ａと第１の弁１６とが密封されるようなっている。
【００１８】
また、第１の弁１６及び第２の弁１７とシリンダ１３とで画される空間が圧力室２４となる。
【００１９】
圧力室とステムとの間で内容物の貯留スペースとなる連通路１４の下部には、この間欠噴射用釦１０Ａに特徴的な圧力調整装置３０Ａが設けられている。圧力調整装置３０Ａは、一端がステム嵌合部１２でステム５と嵌合し、他端が連通路１４に面しているピストン３１と、コイルバネ状の付勢部材３２からなる。付勢部材３２は、間欠噴射用釦１０Ａをエアゾール容器２側に押圧した状態に対してその押圧を解除したときに、ピストン３１をステム５側に付勢するように設けられている。
【００２０】
この間欠噴射容器１の使用時には、まず、図２Ａに矢印Ｐで示すように、ハウジング１１の頂部を押圧し、ステム５をエアゾール容器２内に押し下げ、ステムラバー２５で閉じられていたバルブ４を開口させる。これにより、エアゾール容器２に充填されている原液Ａが連通路１４を取って釦内に入り、第１の付勢部材２２と第２の付勢部材２３に抗して第１の弁１６と第２の弁１７がシリンダ１３内を一緒に摺動し、圧力室２４の容積を拡大させる。このとき、圧力調整装置３０Ａでは付勢部材３２が押し縮められ、貯留スペースとなる連通路１４の容積が減少する。
【００２１】
さらに原液Ａの圧力が増大すると、第２の弁１７はキャップ２１に突き当たるが、第１の弁１６は、第２の弁１７の外側部分１９の外周部に形成されている凸部（外側部分凸部１９ａ）に突き当たるまでシリンダ１３内を更に摺動する。ここで、第２の弁１７がキャップ２１に突き当たる前であって、第１の弁１６が、第２の弁１７の外側部分凸部１９ａに突き当たる近傍の位置においては、第１の弁１６と第２の弁１７は密閉状態となっているが、図２Ｂに示すように、第２の弁１７がキャップ２１に突き当たった以降は、双方の弁１６、１７の密封部分に間隙が生じて弁が開口状態となり、第１の弁１６が第２の弁１７の外側部分凸部１９ａに突き当たった状態でも双方の弁１６、１７の密封部分には間隙があり、弁は開口している。よって、圧力室２４に溜まり加圧状態となっていた原液Ａが噴出口２０から噴出される。
【００２２】
噴出により圧力室２４の内圧が低下すると、図２Ｃに示すように、第１の付勢部材２２と第２の付勢部材２３により第１の弁１６と第２の弁１７が押し戻され始め、さらに噴出により圧力室の内圧が低下すると、図２Ｄのように、第１の弁１６と第２の弁１７が初期の位置に戻り、弁が密封状態となり、噴出が中断する。
【００２３】
こうして噴出が中断すると、エアゾール容器２から流入する原液Ａにより、再度図２Ａに示したように、圧力室２４内が加圧され、原液Ａが噴出口２０から噴出される。したがって、この間欠噴射用釦１０Ａによれば、ハウジング１１を押圧し、ステム５をエアゾール容器２に押し込んでいる間中、原液の噴出と中断が繰り返される間欠噴射が行われる。
【００２４】
一方、図３に示すように、ハウジング１１の押圧を解除し、バルブ４が閉じると、第１の弁１６と第２の弁１７は、それぞれ第１の付勢部材２２と第２の付勢部材２３の初期の位置に戻る。また、このとき圧力調整装置３０Ａの付勢部材３２も初期の状態に戻るので、貯留スペースが増大し、圧力室２４が減圧となる。したがって、弁１６、１７は確実に初期の位置に戻り、安定な密封状態となる。
【００２５】
これに対し、圧力調整装置３０Ａを設けない場合には、図６Ａに示すように、バルブ４を閉じたときに、第１の弁１６と第２の弁１７が初期の位置に戻りきらない状態で噴出を停止する場合がある。そして、外気温の変化、外部振動等の要因で、第１の弁１６と第２の弁１７との密封が破れ、図６Ｂに示すように後噴射が生じる。
【００２６】
図４は、本発明の異なる態様の間欠噴射用釦１０Ｂの初期状態の断面図である。この間欠噴射用釦１０Ｂには、圧力室とステムとの間で内容物の貯留スペースとなる連通路１４の上部に圧力調整装置３０Ｂが設けられている。圧力調整装置３０Ｂは、ハウジング１１の頂部に設けられた押圧釦３３とピストン３４と付勢部材３５から形成されており、このピストン３４は、一端が押圧釦３３と連接し、他端が連通路１４に面している。また、付勢部材３５は、押圧釦３３をエアゾール容器２側に押圧した状態に対してその押圧を解除したときにピストン３４をハウジング１１の頂部側に付勢するように設けられている。
【００２７】
ハウジング１１の頂部は、エアゾール容器２から内容物を吐出させる際の押圧部位となるから、この間欠噴射容器の使用時に間欠噴射用釦１０Ｂをエアゾール容器２側に押し下げる時には、ハウジング１１の頂部の押圧釦３３を押圧することにより、ステム４を押し下げると共に、ピストン３４を連通路１４に押し込む。これにより、連通路１４の容積が減少した状態でバルブ４が開き、図５Ａに示すように原液Ａが圧力室２４に流入し、図５Ｂに示すように圧力室２４から原液Ａが噴出され、押圧釦３３を押圧してステム５をエアゾール容器２に押し込んでいる間中、原液の噴出と中断が繰り返される間欠噴射が行われる。
【００２８】
一方、押圧釦３３の押圧を解除してバルブ４を閉じた場合には、ピストン３４が付勢部材３５により初期の状態に戻り、連通路の容積が増大し、圧力室２４が減圧となる。したがって、弁１６、１７は、図４に示す初期状態のように、確実に初期の位置に戻り、安定な密封状態となる。
【００２９】
本発明の間欠噴射用釦において、圧力調整装置は、図示した態様に限らず、公知の種々の間欠噴射用釦の圧力室に付設して設けることができる。
【産業上の利用可能性】
【００３０】
本発明の間欠噴射用釦は、育毛剤、血行促進剤等の種々の内容物を間欠噴射するエアゾール容器の釦として使用することができる。
【図面の簡単な説明】
【００３１】
【図１】一実施例の間欠噴射用釦をエアゾール容器に取り付けた間欠噴射容器の初期状態の部分断面図である。
【図２Ａ】エアゾール容器のバルブを開口している間の間欠噴射用釦の作用を示す断面図である。
【図２Ｂ】エアゾール容器のバルブを開口している間の間欠噴射用釦の作用を示す断面図である。
【図２Ｃ】エアゾール容器のバルブを開口している間の間欠噴射用釦の作用を示す断面図である。
【図２Ｄ】エアゾール容器のバルブを開口している間の間欠噴射用釦の作用を示す断面図である。
【図３】エアゾール容器のバルブを閉じた時の、間欠噴射用釦の断面図である。
【図４】異なる実施例の間欠噴射用釦の初期状態の断面図である。
【図５Ａ】エアゾール容器のバルブを開口している間の間欠噴射用釦の作用を示す断面図である。
【図５Ｂ】エアゾール容器のバルブを開口している間の間欠噴射用釦の作用を示す断面図である。
【図６Ａ】圧力調整装置のない間欠噴射用釦の作用を示す断面図である。
【図６Ｂ】圧力調整装置のない間欠噴射用釦の作用を示す断面図である。
【符号の説明】
【００３２】
１    間欠噴射容器
２    エアゾール容器
４    バルブ
５    ステム
１０Ａ、１０Ｂ  間欠噴射用釦
１１    ハウジング
１３    シリンダ
１４    連通路
１６    第１の弁
１７    第２の弁
１８    内側部分
１９    外側部分
２０    噴出口
２１    キャップ
２２    第１の付勢部材
２３    第２の付勢部材
２４    圧力室
３０Ａ、３０Ｂ    圧力調整装置
３１    ピストン
３２    付勢部材
３３    押圧釦
３４    ピストン
３５    付勢部材
【図１】
2005169290.tif 000003
【図２Ａ】
2005169290.tif 000004
【図２Ｂ】
2005169290.tif 000005
【図２Ｃ】
2005169290.tif 000006
【図２Ｄ】
2005169290.tif 000007
【図３】
2005169290.tif 000008
【図４】
2005169290.tif 000009
【図５Ａ】
2005169290.tif 000010
【図５Ｂ】
2005169290.tif 000011
【図６Ａ】
2005169290.tif 000012
【図６Ｂ】
2005169290.tif 000013